(57)【要約】      （修正有）【課題】ループ長が小さい編目でもニードルループの比率を大きくして、編地の伸縮性を大きくすることが可能なべら針を提供する。【解決手段】べら閉時のフック３の先端３ａからべら４の先端４ａまでの長さＬを長くして、Ｌ：Ｈの比率が６０％以上となるようにすることによって、ループ長が小さい編目でもニードルループの比率を大きくして、編地の伸縮性を大きくすることが可能となる。また、底部からフック３の上端３ｂまでのフック高Ｈさに対して、フック３の上端３ｂからべら４の先端４ａまでの口開き部の高さＡは、１０％以上で２０％以下の比率の範囲内である。口開き部の断面積も従来品と同等であり、外部からべら４を開く際にも問題は生じない。【選択図】図１
2009161873.tif 000002
【特許請求の範囲】
【請求項１】
底部からフック上端までのフック高さＨに対して、フック先端からべら先端までの長さＬが６０％以上、７０％以下の範囲内であり、
フック高さＨに対して、口開き部の高さＡが１０％以上で２０％以下の範囲内である、
ことを特徴とするべら針。
【請求項２】
横編機の針床に、１０ゲージ〜１４ゲージの配列ピッチで使用され、目移し用の羽根を備えることを特徴とする請求項１記載のべら針。
【請求項３】
前記フック上端から前記フック先端側への傾斜が、１２°以下で８°以上であることを特徴とする請求項１または２記載のべら針。
【発明の詳細な説明】
【技術分野】
【０００１】
本発明は、編地の編成に使用するべら針に関する。
【背景技術】
【０００２】
従来から、横編機による編地の編成には、図４に示すようなべら針１が広く使用されている（たとえば、特許文献１参照）。べら針１は、針幹２の先端側にフック３を有する。フック３は、先端３ａで鈎状に屈曲する。鈎状部分と針幹２との間は、べら４で開閉する。べら４の開閉は、軸５を中心とする揺動変位で行われる。フック３の内側では、編糸を捕捉して形成する編目を係止可能である。横編機による編地の編成では、図の左右方向にべら針１が往復移動する。フック３内に編目を係止する状態で、べら針１が右方に移動すると、フック３内の編目は相対的に左方に移動する。べら４が閉じていれば、編目でべら４を開き、編目は針幹２の左方に移動する。新たな編糸がフック３内に供給されて、べら針１が左方に移動すると、フック３内に供給された編糸を引込んで新たな編目が形成される。針幹２の左方に移動していた編目は、右方に移動し、べら４でフック３を閉じる。さらに閉じたべら４の上を右方に移動する旧編目となり、ノックオーバ軌跡６ａを通って、べら４の先端４ａから離脱し、フック３内の新たな編目のみが、旧編目に連なる状態でべら針１に係止される。
【０００３】
べら針１による編目形成時のノックオーバのタイミングに関しては、べら４の先端４ａからフック３の先端３ａまでの長さＬが重要となる。長さＬが短いほどノックオーバが遅くなり、編目のうちでニードルループの比率が小さくなる傾向がある。ニードルループの比率が小さくなると、編地の伸縮性が小さくなり、仕上りが良くない。
【０００４】
べら針１のべら４は、フック３内部の編目で内側から開くばかりではなく、外部から開くことも必要になる。たとえば、フック３内に編目を係止していない状態でべら４を開くために、横編機ではキャリッジに刷毛を設け、刷毛をべら４の先端４ａに作用させるようにしている。また、目移しの際にも、編目を受ける側では、閉じているべら４の先端４ａ側から編目でべら４を開き、フック３内に捕捉する必要がある。刷毛や編目でべら４を開く際には、べら針１の底部からフック３の上端３ｂまでのフック高さＨに対して、斜線を施して示す口開き部７の高さＡの比率が重要となる。高さＡは、べら４の先端４ａから、フック３側の口開き部前端３ｃまでとなる。フック３側の口開き部前端３ｃは、べら４の先端４ａからべら針１の底面に垂直な直線を引くときに、その直線にフック３の鈎状部分の上側で交わる点である。フック３の口開き部高さＡを確保することができないと、目移しの編目を受ける際に、べら４の先端４ａで編目を突刺して割ってしまうおそれもある。経験上、このＡ：Ｈの比率は１０％以上で２０％以下の範囲とする必要がある。このＡ：Ｈの比率を確保するために、べら４の先端４ａからフック３の先端３ａまでの長さＬは、あまり長くすることはできない。現状では、充分な使用実績のあるべら針でのＬ：Ｈの比率は、３０％程度となっている。
【０００５】
なお、編糸が口開き部７に進入する際には、楔状の形状に合うように変形する。口開き部７の楔状の形状の断面積が編糸の断面積に比較して小さすぎると、外部にはみ出した部分にべら４の先端４ａが突刺さるおそれもある。口開き部７の断面積は、口開き部高さＡとともに、べら４の先端４ａからべら４の内側がフック３の鈎状部分の外側に接する位置までの奥行Ｂとで概算することができる。すなわち、この形状を三角形とし、口開き部高さＡを底辺、奥行Ｂを高さとして、断面積を１／２×Ａ×Ｂで計算することができる。また、フック３の鈎状部分の外周側の傾斜角度θも、ノックオーバの特性に影響する可能性がある。
【特許文献１】特開平７−１５０４５１号公報
【発明の開示】
【発明が解決しようとする課題】
【０００６】
前述のように、べら４の先端４ａからフック３の先端３ａまでの長さＬがフック高さＨの３０％程度となるべら針１は、充分な使用実績がある。フック３の高さＨを基準として、標準と考えられる範囲の編目は、確実に編成可能であることが確認されている。しかしながら、編目のうちでニードルループと呼ばれる部分の比率が小さくなる傾向がある。同一のフック３に対して、べら４の長さを短くすれば、べら４の先端４ａからフック３の先端３ａまでの長さＬを長くし、ニードルループの比率を大きくすることができる。しかしながら、べら４の長さが短くなると、先端４ａの口開き部高さＡも小さくなってしまい、べら４を外部から刷毛や目移しの編目などで安定に開くことが困難になる。
【０００７】
本発明の目的は、ニードルループの比率が大きくなる編目を安定して編成可能なべら針を提供することである。
【課題を解決するための手段】
【０００８】
本発明は、底部からフック上端までのフック高さＨに対して、フック先端からべら先端までの長さＬが６０％以上、７０％以下の範囲内であり、
フック高さＨに対して、フック上端からべら先端までの口開き部の高さが１０％以上で２０％以下の範囲内である、
ことを特徴とするべら針である。
【０００９】
また本発明は、横編機の針床に、１０ゲージ〜１４ゲージの配列ピッチで使用され、目移し用の羽根を備えることを特徴とする。
【００１０】
また本発明は、前記フック上端から前記フック先端側への傾斜が、１２°以下で８°以上であることを特徴とする。
【発明の効果】
【００１１】
本発明によれば、べら閉時のフック先端からべら先端までの長さＬが、フック高さＨに対して６０％以上で７０％以下の範囲に長くなるので、編目形成時のノックオーバのタイミングが早くなる。ノックオーバのタイミングが早くなるので、ニードルループの比率を大きくして、編地の伸縮性を大きくすることが可能となる。ノックオーバのタイミングが早くなっても、底部からフック上端までのフック高さに対して、フック上端からべら先端までの口開き部の高さは、１０％以上で２０％以下の範囲内となるので、べらを外部から開く際に問題が生じることはなく、安定して編目を編成することができる。
【００１２】
また本発明によれば、横編機での編目の編成も、目移しも良好に行うことができる。
【００１３】
また本発明によれば、フックの先端から鈎状に折返す部分の長さを長くして、べら閉時のフック先端からべら先端までの長さを長くすることができる。
【発明を実施するための最良の形態】
【００１４】
図１〜図３は、本発明の実施の形態としてのべら針１を（ａ）で、実施の形態に対応する従来の形態を（ｂ）で、それぞれ対比させて示す。各べら針１で対応する部分には、図４と同一の参照符を付し、重複する説明は省略する。また、図１〜図３では図示を省略しているけれども、べら４の先端４ａからフック３の先端３ａまでの長さＬ、フック３の高さＨ、口開き部高さＡ、奥行Ｂ、および傾斜角度θは、それぞれ図４と同様の部分が対応している。ただし、口開き部７の図示も省略する。
【００１５】
図１〜図３では、べら４の先端４ａが二点鎖線で示すように旋回して開いた状態を符号４ｂで示す。図１〜図３は、べら針１の針幹２で、開いた状態のべら４ｂよりもフック３から離れる側に設けられる肩２ａも示す。肩２ａは、目移し時に目移し用の編目が係止される段差となる。肩２ａ付近の針幹２の一側方には、羽根８も設けられる。羽根８は、板ばねであり、先端が針幹２の側面に接触するように付勢される。肩２ａの位置付近では、羽根８と針幹２の側面との間に隙間が設けられ、この隙間に目移しで編目を受ける側のべら針１のフック３を進入させることができる。受ける側のフック３は、べら４で閉じているので、肩２ａで係止する編目で開いてフック３内に編目を捕捉させる。このような目移し時にも、外部からべら４を開く必要があり、フック３の先端形状が影響する。
【００１６】
横編機では、針床に一定のピッチで編針が配列される。針床での２４．５ｍｍ（１インチ）当りの編針の配列数は、ゲージで示され、数値が大きいほどループ長が短い細かい編目、数値が小さいほどループ長が長い粗い編目が編成される。
【００１７】
図１、図２および図３は、１０ゲージ、１２ゲージおよび１４ゲージのフック高さＨに相当するべら針１としての実施の形態を、各図の（ａ）で示し、各図の（ｂ）で従来からの対応する形態を示す。
【００１８】
次の表は、図１〜図３の（ａ）で示す本発明の実施の形態と、（ｂ）で示す従来からの形態とで、各部を比較して示す。単位は、寸法がｍｍ、比率が％、傾斜角度が°、断面積がｍｍ２である。各項目のうち、（ａ）と（ｂ）とが共通しているものは単一の数値で示し、異なるものは、”（ａ）の数値／（ｂ）の数値”の形式で示す。
【００１９】
【表１】
2009161873.tif 000003
【００２０】
以上の表から、図１〜図３の（ａ）に示す各実施の形態では、べら閉時のフック３の先端３ａからべら４の先端４ａまでの長さＬが、フック３の高さＨの６０％以上で６７％以下であることが判る。Ｌ／Ｈが７０％程度までは、同様にニードルループの比率を大きくして、編地の伸縮性を大きくすることが可能となることが判明している。また、（ａ）の各実施の形態は、（ｂ）の従来の形態と同様に、底部からフック３の上端３ｂまでのフック高Ｈさに対して、フック３の上端３ｂからべら４の先端４ａまでの口開き部の高さＡが１０％以上で２０％以下の比率の範囲内であることも判る。また、口開き部の断面積も同等であると考えられる。したがって、外部からべら４を開くのは、実施の形態も従来の形態も同等である。
【００２１】
図１〜図３では、（ａ）の実施の形態で、傾斜角度θも１２°以下で８°以上の範囲となり、（ｂ）の従来の形態よりも傾斜が緩くなるけれども、べら４からノックオーバされた編目がフック３から離脱するには問題が無いことが確認されている。傾斜角度θが緩くなるので、フック３の鈎状部分の長さが長くなっても、フック３の先端３ａでの曲率が小さくならないようにすることができる。
【図面の簡単な説明】
【００２２】
【図１】本発明の実施の第一形態のべら針１と同等のフック高さを有する従来の形態として示す部分的な正面図である。
【図２】本発明の実施の第二形態のべら針１と同等のフック高さを有する従来の形態  と対比して示す部分的な正面図である。
【図３】本発明の実施の第三形態のべら針１と同等のフック高さを有する従来の形態  と対比して示す部分的な正面図である。
【図４】従来からのべら針１の部分的な正面図である。
【符号の説明】
【００２３】
１  べら針
２  針幹
３  フック
３ａ  先端
３ｂ  上端
３ｃ  口開き部前端
４  べら
４ａ  先端
８  羽根
【図１】
2009161873.tif 000004
【図２】
2009161873.tif 000005
【図３】
2009161873.tif 000006
【図４】
2009161873.tif 000007